(57)【要約】【課題】自動車や各種電子機器の操作部に用いられる照光式押釦スイッチに関し、ムラがなく均一な照光が可能なものを提供することを目的とする。【解決手段】押釦１１下方の配線基板１２上面に、プッシュスイッチ３左右の発光素子１４の光を反射する、明色の反射層１５を形成して照光式押釦スイッチを提供することによって、発光素子１４の光に加え、反射層１５からの反射光によっても押釦１１が後方から照光されるため、ムラがなく均一な照光が可能なものを得ることができる。【選択図】  図１
2004158233.tif 000002
【特許請求の範囲】
【請求項１】
上面または側面に光透過性の照光部が形成された押釦と、この押釦の下方に配置された配線基板と、この配線基板上に形成され上記押釦の押圧操作によって電気的接離を行う複数のスイッチ接点と、上記配線基板上に装着された発光素子からなり、上記押釦下方の上記配線基板上面に上記発光素子の光を反射する明色の反射層を形成した照光式押釦スイッチ。
【請求項２】
押釦を上下動可能に保持するカバーを設けると共に、このカバーに上方へ突出する中空筒状の突出部を設け、この突出部で上記押釦の外周または内周をガイドした請求項１記載の照光式押釦スイッチ。
【請求項３】
反射層を蓄光性とした請求項１記載の照光式押釦スイッチ。
【発明の詳細な説明】
【０００１】
【発明の属する技術分野】
本発明は、自動車や各種電子機器の操作部に用いられる照光式押釦スイッチに関するものである。
【０００２】
【従来の技術】
近年、自動車や各種電子機器の高機能化・多様化が進むに伴い、これらの操作部には、周囲が暗い場合でもその位置確認や識別が可能なように、操作用の押釦を照光する照光式押釦スイッチが多く用いられると共に、さらに明るく均一な照光を行えるものが求められている。
【０００３】
このような従来の照光式押釦スイッチについて、図３を用いて説明する。
【０００４】
図３は従来の照光式押釦スイッチの断面図であり、同図において、１は暗色で絶縁樹脂製の複数の押釦で、上面や側面には文字や記号、絵柄等の形状に露出した、半透明或いは乳白色等の光透過性の照光部１Ａが設けられている。
【０００５】
そして、２は押釦１の下方に配置された配線基板で、この配線基板２の上下面には複数の配線パターン（図示せず）が形成されると共に、上面には押釦１下面中央から突出した押圧部１Ｂによって操作軸３Ａを押圧操作され、電気的接離を行う複数のプッシュスイッチ３が実装されてスイッチ接点が形成されている。
【０００６】
また、４は上面発光の発光ダイオード等の発光素子で、プッシュスイッチ３左右の配線基板２上面に実装され、プッシュスイッチ３と同様に配線基板２の配線パターンに接続されている。
【０００７】
さらに、５は押釦１や配線基板２を覆う絶縁樹脂製のカバーで、このカバー５上面の開口孔から複数の押釦１が上下動可能に突出して、照光式押釦スイッチが構成されている。
【０００８】
以上の構成において、所定の押釦１を下方へ押圧操作すると、押圧部１Ｂに操作軸３Ａを押圧されたプッシュスイッチ３が電気的接離を行い、この信号が複数の配線パターンから機器の電子回路（図示せず）へ出力される。
【０００９】
また、機器の電子回路から発光素子４に電圧が印加されると、発光素子４上面が発光し、この光が押釦１を後方から照光するため、周囲が暗い場合でも、押釦１の位置確認や照光部１Ａの文字等の視認が行えるように構成されているものであった。
【００１０】
なお、この出願の発明に関連する先行技術文献情報としては、例えば、特許文献１が知られている。
【００１１】
【特許文献１】
特開昭６２−１５７１３号公報
【００１２】
【発明が解決しようとする課題】
しかしながら、上記従来の照光式押釦スイッチにおいては、押釦１中央下方のプッシュスイッチ３左右に配置された発光素子４によって押釦１の照光を行っているため、押釦１の照光部１Ａ左右に比べ中央部が暗くなって照光にムラが生じ易く、均一な照光がしづらいという課題があった。
【００１３】
本発明は、このような従来の課題を解決するものであり、ムラがなく均一な照光が可能な照光式押釦スイッチを提供することを目的とする。
【００１４】
【課題を解決するための手段】
上記目的を達成するために本発明は、以下の構成を有するものである。
【００１５】
本発明の請求項１に記載の発明は、押釦下方の配線基板上面に、発光素子の光を反射する明色の反射層を形成して照光式押釦スイッチを構成したものであり、押釦下方の中央近傍に形成された明色の反射層が発光素子の光を反射し、この反射光によって押釦が後方から照光されるため、ムラがなく均一な照光が可能な照光式押釦スイッチを得ることができるという作用を有する。
【００１６】
請求項２に記載の発明は、請求項１記載の発明において、押釦を上下動可能に保持するカバーを設けると共に、このカバーに上方へ突出する中空筒状の突出部を設け、この突出部で上記押釦の外周または内周をガイドしたものであり、カバーの突出部によって発光素子の光の拡散を防ぎ、光を押釦に集中できるため、押釦をさらに明るく照光することができるという作用を有する。
【００１７】
請求項３に記載の発明は、請求項１記載の発明において、反射層を蓄光性としたものであり、発光素子が消灯した状態でも押釦を照光できるため、押釦の位置確認が容易に行えるという作用を有する。
【００１８】
【発明の実施の形態】
以下、本発明の実施の形態について、図１及び図２を用いて説明する。
【００１９】
なお、従来の技術の項で説明した構成と同一構成の部分には同一符号を付して、詳細な説明を簡略化する。
【００２０】
（実施の形態）
図１は本発明の一実施の形態による照光式押釦スイッチの断面図、図２は同分解斜視図であり、同図において、１１はＡＢＳやポリカーボネート、アクリル等の暗色で絶縁樹脂製の複数の押釦で、上面や側面には文字や記号、絵柄等の形状に露出した、半透明或いは乳白色等の光透過性の照光部１１Ａが設けられている。
【００２１】
そして、１２は押釦１１の下方に配置されたガラス入りエポキシや紙フェノール等の配線基板で、この配線基板１２の上下面には複数の配線パターン（図示せず）が形成されると共に、上面には押釦１１下面中央から突出した押圧部１１Ｂによって操作軸３Ａを押圧操作され、電気的接離を行う複数のプッシュスイッチ３が実装されてスイッチ接点が形成されている。
【００２２】
また、１４は側面発光の発光ダイオード等の発光素子で、プッシュスイッチ３左右の配線基板１２上面に、側面の発光面１４Ａをプッシュスイッチ３の方向に向けて実装されると共に、プッシュスイッチ３と同様に配線基板１２の配線パターンに接続されている。
【００２３】
さらに、この左右の発光素子１４とプッシュスイッチ３間の押釦１１下方の配線基板１２上面には、発光素子１４の光を反射する、エポキシやポリエステル等に顔料を分散させた白色や薄灰色等の明色の反射層１５が形成されている。
【００２４】
また、１６は押釦１１を上下動可能に保持する絶縁樹脂製のカバーで、このカバー１６には上方へ突出する中空筒状の突出部１６Ａが設けられ、この突出部１６Ａによって押釦１１の内周がガイドされて、照光式押釦スイッチが構成されている。
【００２５】
以上の構成において、所定の押釦１１を下方へ押圧操作すると、押圧部１１Ｂに操作軸３Ａを押圧されたプッシュスイッチ３が電気的接離を行い、この信号が複数の配線パターンから機器の電子回路（図示せず）へ出力される。
【００２６】
また、機器の電子回路から発光素子１４に電圧が印加されると、側面の発光面１４Ａが発光し、この光が押釦１１を直接後方から照光すると共に、配線基板１２上面の明色の反射層１５に反射し、この反射光も押釦１１を後方から照光する。
【００２７】
そして、これらの光はカバー１６の上方へ突出した中空筒状の突出部１６Ａを通り、他の方向へはあまり拡散せず、押釦１１後方に集中して、押釦１１を照光する。
【００２８】
従って、押釦１１の照光部１１Ａは左右や中央部の位置の違いによるムラがなく、均一な明るさで照光されて、周囲が暗い場合でも、押釦１１の位置確認や照光部１１Ａの文字等の視認が容易に行えるように構成されている。
【００２９】
このように本実施の形態によれば、押釦１１下方の配線基板１２上面に、発光素子１４の光を反射する明色の反射層１５を形成することによって、発光素子１４からの直接の光に加え、反射層１５からの反射光によっても押釦１１が後方から照光されるため、ムラがなく均一な照光が可能な照光式押釦スイッチを得ることができるものである。
【００３０】
そして、押釦１１を上下動可能に保持するカバー１６を設けると共に、このカバー１６に上方へ突出する中空筒状の突出部１６Ａを設け、この突出部１６Ａで押釦１１の外周または内周をガイドすることによって、発光素子１４の光の拡散を防ぎ、光を押釦１１に集中できるため、押釦１１をさらに明るく照光することができる。
【００３１】
さらに、反射層１５内に酸化亜鉛等を分散させ、反射層１５を蓄光性とすることによって、発光素子１４を消灯した状態でも、発光時に比べると弱い光ではあるが、反射層１５によって押釦１１を照光できるため、押釦１１の位置確認等を容易に行うことができる。
【００３２】
【発明の効果】
以上のように本発明によれば、ムラがなく均一な照光が可能な照光式押釦スイッチを得ることができるという有利な効果が得られる。
【図面の簡単な説明】
【図１】本発明の一実施の形態による照光式押釦スイッチの断面図
【図２】同分解斜視図
【図３】従来の照光式押釦スイッチの断面図
【符号の説明】
３  プッシュスイッチ
３Ａ  操作軸
１１  押釦
１１Ａ  照光部
１１Ｂ  押圧部
１２  配線基板
１４  発光素子
１４Ａ  発光面
１５  反射層
１６  カバー
１６Ａ  突出部
【図１】
2004158233.tif 000003
【図２】
2004158233.tif 000004
【図３】
2004158233.tif 000005